(57)【要約】【課題】  電子製品におけるモニタを自動的に開けることができ、回転の緩衝及び位置決める効果を有する蝶番を提供する。【解決手段】  貫通孔１１、位置決め孔１２、組立孔１３が形成されるＬ字形のベース１０と、一側にロッド２２が設けられ、他側に貫通孔１１を貫通する螺旋ロッド２３が設けられる枢軸２０と、貫通孔３１、二つの止めブロック３３，３４が設けられ、止めブロック３３，３４同士の間に円弧状凹部３５が形成される回転プレート３０と、枢軸２０のロッド２２に設けられ、両端に自由端４１，４２が設けられ、その一つの自由端４１がベース１０の位置決め孔１２に挿入されると共に、他の自由端４２が回転プレート３０の円弧状凹部３５に位置されるスプリング４０と、枢軸２０の螺旋ロッド２３に設けられる複数のパッド５０，５３、弾性プレート５１、注油プレート５２と、枢軸２０の螺旋ロッド２３に設けられるナット５４とを備えることを特徴とする。【選択図】  図２
0003102089.tif 000002
【実用新案登録請求の範囲】
【請求項１】
一側のプレートの中央に貫通孔（１１）が形成されると共に、貫通孔（１１）の付近に位置決め孔（１２）が形成され、他側のプレートに本体（６０）と組立てるため組立孔（１３）が形成されるＬ字形のベース（１０）と、
中段にリング状プレート（２１）が設けられ、一側にロッド（２２）が設けられると共に、他側に前記貫通孔（１１）を貫通する螺旋ロッド（２３）が設けられる枢軸（２０）と、
一側に前記枢軸（２０）のロッド（２２）を貫通するため貫通孔（３１）が形成されると共に、他側にモニタ（６１）と組合せるため組立孔（３２）が形成され、前記貫通孔（３１）の一側に二つの止めブロック（３３）（３４）が設けられると共に、止めブロック（３３）（３４）同士の間に円弧状凹部（３５）が形成される回転プレート（３０）と、
前記枢軸（２０）のロッド（２２）に設けられ、両端に自由端（４１）（４２）が設けられ、その一つの自由端（４１）がベース（１０）の位置決め孔（１２）に挿入されると共に、他の自由端（４２）が回転プレート（３０）の円弧状凹部（３５）に位置されるスプリング（４０）と、
枢軸（２０）の螺旋ロッド（２３）に設けられる複数のパッド（５０）（５３）、弾性プレート（５１）、注油プレート（５２）と、
全ての部材を固定するために、枢軸（２０）の螺旋ロッド（２３）に設けられるナット（５４）とを備えることを特徴とする蝶番。
【請求項２】
前記リング状プレート（２１）に注油溝（２１０）が形成されることを特徴とする請求項１に記載の蝶番。
【請求項３】
前記ロッド（２２）がプレスによって回転プレート（３０）と結合されることを特徴とする請求項１又は請求項２に記載の蝶番。
【考案の詳細な説明】
【技術分野】
【０００１】
本考案は、特にノートブックパソコンや携帯式翻訳機や携帯情報端末（ＰＤＡ）など電子製品におけるモニタを自動的に片手で開けることができ、回転の緩衝及び位置決める効果を有する蝶番に関するものである。
【背景技術】
【０００２】
従来のノートブックパソコンや携帯式翻訳機や携帯情報端末（ＰＤＡ）など電子製品におけるモニタは蝶番によって本体と連結されている。
【考案の開示】
【考案が解決しようとする課題】
【０００３】
上記の蝶番はモニタに回転及び支持効果のみを提供し、使用者はこの蝶番を有する電子製品を使用する際、手によってモニタを開けることにより、該電子製品を使用することができる。しかしながら、該モニタを開ける際、必ず一の手によって該電子製品を固定させると共に、他の手によってモニタを開けることになるので、片手でモニタを開けることができず、操作上非常に不便である。更に、モニタは所定位置に位置決めされた後、回転し続けることができないので、そのモニタに外力を受ける場合、本体がモニタに従い回転する外力を受け、その外力を吸収することができないので、内部における回路板に悪影響を与える恐れがある。
【０００４】
そこで、案出されたのが本考案であって、電子製品におけるモニタを自動的に片手で開けることができるとともに、回転の緩衝及び位置決めをすることができるという効果を有する蝶番を提供することを目的としている。
【課題を解決するための手段】
【０００５】
本願の請求項１の考案は、一側のプレートの中央に貫通孔（１１）が形成されると共に、貫通孔（１１）の付近に位置決め孔（１２）が形成され、他側のプレートに本体（６０）と組立てるため組立孔（１３）が形成されるＬ字形のベース（１０）と、
中段にリング状プレート（２１）が設けられ、一側にロッド（２２）が設けられると共に、他側に前記貫通孔（１１）を貫通する螺旋ロッド（２３）が設けられる枢軸（２０）と、
一側に前記枢軸（２０）のロッド（２２）を貫通するため貫通孔（３１）が形成されると共に、他側にモニタ（６１）と組合せるため組立孔（３２）が形成され、前記貫通孔（３１）の一側に二つの止めブロック（３３）（３４）が設けられると共に、止めブロック（３３）（３４）同士の間に円弧状凹部（３５）が形成される回転プレート（３０）と、
前記枢軸（２０）のロッド（２２）に設けられ、両端に自由端（４１）（４２）が設けられ、その一つの自由端（４１）がベース（１０）の位置決め孔（１２）に挿入されると共に、他の自由端（４２）が回転プレート（３０）の円弧状凹部（３５）に位置されるスプリング（４０）と、
枢軸（２０）の螺旋ロッド（２３）に設けられる複数のパッド（５０）（５３）、弾性プレート（５１）、注油プレート（５２）と、
全ての部材を固定するために、枢軸（２０）の螺旋ロッド（２３）に設けられるナット（５４）とを備えることを特徴とする蝶番及び、
本願の請求項２の考案は、前記リング状プレート（２１）に注油溝（２１０）が形成されることを特徴とする請求項１に記載の蝶番及び、
本願の請求項３の考案は、前記ロッド（２２）がプレスによって回転プレート（３０）と結合されることを特徴とする請求項１又は請求項２に記載の蝶番、を提供する。
【考案の効果】
【０００６】
本考案は上記の課題を解決するものであり、スプリングによってモニタと共に回転する回転プレートを付勢することにより、モニタを自動的に本体の上方へ回転させることができるだけでなく、外力の衝撃を吸収する緩衝効果を得ることができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る蝶番の斜視図であり、図２は本考案に係る蝶番の分解斜視図であり、図３は本考案に係る蝶番の使用状態を示す側面図であり、図４は本考案に係る蝶番の他の使用状態を示す側面図であり、図５は本考案に係る蝶番の使用状態を示す斜視図である。
【０００９】
図１、図２及び図５に示すように、本考案に係る蝶番はＬ字形のプレートであり、一側のプレートの中央に貫通孔（１１）が形成されると共に、貫通孔（１１）の付近に位置決め孔（１２）が形成され、他側のプレートに本体（６０）と組立てるため組立孔（１３）が形成されるベース（１０）と、
中段に注油溝（２１０）を有するリング状プレート（２１）が設けられ、一側にロッド（２２）が設けられると共に、他側に平面部（２３０）を有する螺旋ロッド（２３）が設けられ、該螺旋ロッド（２３）が前記貫通孔（１１）を貫通する枢軸（２０）と、
一側に前記枢軸（２０）のロッド（２２）を貫通するため貫通孔（３１）が形成されると共に、他側にモニタ（６１）と組合せるため組立孔（３２）が形成され、前記貫通孔（３１）の一側に二つの止めブロック（３３）（３４）が設けられると共に、止めブロック（３３）（３４）同士の間に円弧状凹部（３５）が形成される回転プレート（３０）と、
前記枢軸（２０）のロッド（２２）に設けられ、両端に自由端（４１）（４２）が設けられ、その一つの自由端（４１）がベース（１０）の位置決め孔（１２）に挿入されると共に、他の自由端（４２）が回転プレート（３０）の円弧状凹部（３５）に位置されるスプリング（４０）と、
枢軸（２０）の螺旋ロッド（２３）に設けられる複数のパッド（５０）（５３）、弾性プレート（５１）、注油プレート（５２）と、
全ての部材を固定するために、枢軸（２０）の螺旋ロッド（２３）に設けられるナット（５４）とを備える。
【００１０】
本考案に係る蝶番を組み立てる際、先ずスプリング（４０）を枢軸（２０）のロッド（２２）に設置させると共に、自由端（４１）をベース（１０）の位置決め孔（１２）に位置決めさせ、次に回転プレート（３０）をロッド（２２）に設置させると共に、スプリング（４０）の自由端（４２）を円弧状凹部（３５）に位置させた後、プレスによって回転プレート（３０）とロッド（２２）とを結合させ、一方、枢軸（２０）の螺旋ロッド（２３）がベース（１０）の貫通孔（１１）を貫通すると共に、その上にパッド（５０）、弾性プレート（５１）、注油プレート（５２）及びパッド（５３）を設置させた後、ナット（５４）を螺旋ロッド（２３）に設置させることにより、全ての部材を固定する。
【００１１】
図３に示すように、モニタ（６１）と本体（６０）を閉合する場合、本考案に係る蝶番におけるスプリング（４０）の自由端（４２）が円弧状凹部（３５）の止めブロック（３４）によって付勢されると共に、モニタ（６１）が係合部材（符号なし）によって本体（６０）と結合される。係合部材の結合が解除の状態になると、モニタ（６１）はスプリング（４０）の付勢力によって上方へ回転されることにより、使用者は簡単に片手でモニタ（６１）を開けることができる。
【００１２】
又、図４に示すように、モニタ（６１）が所定の位置に到着する場合、スプリング（４０）の自由端（４２）は円弧状凹部（３５）に沿って止めブロック（３４）から他の止めブロック（３３）まで移動する。この状態でモニタ（６１）に外力を受ける場合、該自由端（４２）が止めブロック（３３）に押圧すると共に、スプリング（４０）が付勢することにより、その衝撃力を吸収すると共に、モニタ（６１）が元の位置に戻る。
【産業上の利用可能性】
【００１３】
本考案は上記の構成を有するので、スプリングによってモニタと共に回転する回転プレートを付勢することにより、モニタを自動的に本体の上方へ回転することができるだけでなく、外力の衝撃を吸収する緩衝効果を得ることができる。
【図面の簡単な説明】
【００１４】
【図１】本考案に係る蝶番の斜視図である。
【図２】本考案に係る蝶番の分解斜視図である。
【図３】本考案に係る蝶番の使用状態を示す側面図である。
【図４】本考案に係る蝶番の他の使用状態を示す側面図である。
【図５】本考案に係る蝶番の使用状態を示す斜視図である。
【符号の説明】
【００１５】
１０        ベース
１１        貫通孔
１２        位置決め孔
１３        組立孔
２０        枢軸
２１        リング状プレート
２１０      注油溝
２２        ロッド
２３        螺旋ロッド
２３０      平面部
３０        回転プレート
３１        貫通孔
３２        組立孔
３３        止めブロック
３４        止めブロック
３５        円弧状凹部
４０        回転スプリング
４１        自由端
４２        自由端
５０        パッド
５１        弾性プレート
５２        注油プレート
５３        パッド
５４        ナット
６０        本体
６１        モニタ
【図１】
0003102089.tif 000003
【図２】
0003102089.tif 000004
【図３】
0003102089.tif 000005
【図４】
0003102089.tif 000006
【図５】
0003102089.tif 000007